(57)【要約】【課題】デザイン性を向上させることが可能な電子機器を提供する。【解決手段】電子機器１は、筐体１１と、筐体１１に収容された機能部品３１と、筐体１１の表面１４に設けられ、少なくとも一部に環状の輪郭２２を含む文字または記号を有したマーク部２１と、環状の輪郭２２の内側に設けられ、機能部品３１を機能させる要素を筐体１１の外部から内部へ通す受入部３２とを具備した。【選択図】      図２
2011034322.tif 000002
【特許請求の範囲】
【請求項１】
筐体と、
前記筐体に収容された機能部品と、
前記筐体の表面に設けられ、少なくとも一部に環状の輪郭を含む文字または記号を有したマーク部と、
前記環状の輪郭の内側に設けられ、前記機能部品を機能させる要素を前記筐体の外部から内部へ通す受入部と、
を具備したことを特徴とする電子機器。
【請求項２】
請求項１の記載において、
前記受入部は、前記筐体内に貫通した貫通孔を有したことを特徴とする電子機器。
【請求項３】
請求項２の記載において、
前記機能部品は、前記貫通孔に対向したカメラであることを特徴とする電子機器。
【請求項４】
請求項２の記載において、
前記機能部品は、前記貫通孔に対向したマイクであることを特徴とする電子機器。
【請求項５】
請求項２の記載において、
前記貫通孔は、前記環状の輪郭の内側の略中央部に対向したことを特徴とする電子機器。
【請求項６】
請求項２の記載において、
前記貫通孔は、前記環状の輪郭の内周縁と略同じ大きさに形成されたことを特徴とする電子機器。
【請求項７】
請求項２の記載において、
前記貫通孔の輪郭は、前記環状の輪郭と略相似形状に形成されたことを特徴とする電子機器。
【請求項８】
請求項１の記載において、
前記受入部は、半透過性を有し、前記機能部品は、前記受入部に対向したカメラであることを特徴とする電子機器。
【請求項９】
筐体と、
前記筐体に収容された機能部品と、
前記筐体の表面に設けられ、文字または記号を有したマーク部と、
前記文字または記号の輪郭によって少なくとも３方向から囲まれた領域の内側に設けられ、前記機能部品を機能させる要素を前記筐体の外部から内部へ通す受入部と、
を具備したことを特徴とする電子機器。
【請求項１０】
平面部を有した筐体と、
前記筐体に収容された機能部品と、
前記筐体の表面に設けられ、前記平面部に対して段差を有した表面形状部と、
前記表面形状部に設けられ、前記機能部品を機能させる要素を前記筐体の外部から内部へ通す受入部と、
を具備したことを特徴とする電子機器。
【発明の詳細な説明】
【技術分野】
【０００１】
本発明は、例えばカメラやマイクのような機能部品を備えた電子機器に関する。
【背景技術】
【０００２】
近年、カメラのような機能部品を備えた電子機器が提供されている。カメラは、筐体内に収容されるとともに、筐体に開口した受光穴を通じて外部を撮影可能になっている。
【０００３】
非特許文献１は、印刷されたイラストの中央部に円形の窓を設けたＣＤケースが開示されている。
【先行技術文献】
【非特許文献】
【０００４】
【非特許文献１】エックスライト株式会社“ColorMunki Photo”、［Online］、Impress watch Corporation ホームページ、［平成２１年６月１６日検索］、インターネット＜URL:http://dc.watch.impress.co.jp/cda/review/2008/10/23/9472.html＞
【発明の概要】
【発明が解決しようとする課題】
【０００５】
ところで、受光穴のような貫通孔が筐体の表面に開口していると、この貫通孔が周囲のデザインの一体感を損ねる可能性がある。
【０００６】
本発明の目的は、デザイン性を向上させることが可能な電子機器を提供することにある。
【課題を解決するための手段】
【０００７】
本発明の一つの形態に係る電子機器は、筐体と、前記筐体に収容された機能部品と、前記筐体の表面に設けられ、少なくとも一部に環状の輪郭を含む文字または記号を有したマーク部と、前記環状の輪郭の内側に設けられ、前記機能部品を機能させる要素を前記筐体の外部から内部へ通す受入部とを具備した。
【発明の効果】
【０００８】
本発明によれば、デザイン性を向上させることが可能になる。
【図面の簡単な説明】
【０００９】
【図１】本発明の第１の実施形態に係る電子機器の斜視図。
【図２】図１中に示された電子機器のＦ２線で囲まれた領域を拡大した斜視図。
【図３】図２中に示された電子機器のＦ３−Ｆ３線に沿う断面図。
【図４】本発明の第２の実施形態に係る受入部を示す平面図。
【図５】本発明の第２の実施形態に係る受入部の一つの変形例を示す平面図。
【図６】本発明の第３の実施形態に係る電子機器の断面図。
【図７】本発明の第４の実施形態に係る電子機器の斜視図。
【図８】本発明の第５の実施形態に係る電子機器の斜視図。
【図９】図８中に示された電子機器のＦ９−Ｆ９線に沿う断面図
【図１０】本発明の第６の実施形態に係る受入部を示す平面図。
【図１１】本発明の第６の実施形態に係る電子機器の断面図。
【図１２】本発明の第７の実施形態に係る平面図。
【発明を実施するための形態】
【００１０】
以下に本発明の実施の形態を、ノートブック型パーソナルコンピュータ（以下、ノートＰＣ）に適用した図面に基づいて説明する。
【００１１】
（第１の実施形態）  
図１乃至図３は、本発明の第１の実施形態に係る電子機器１を開示している。電子機器１は、例えばノートＰＣである。なお本発明が適用可能な電子機器は、上記に限定されるものではない。本発明は、例えば設置型の各種情報処理装置や、ＰＤＡ(Personal digital Assistant)、またはゲーム機などを含む種々の電子機器に広く適用可能である。
【００１２】
図１に示すように、電子機器１は、本体ユニット２と、表示ユニット３と、ヒンジ部４ａ，４ｂとを備えている。本体ユニット２は、メイン回路基板を搭載した電子機器本体である。本体ユニット２は、本体筐体５を有する。本体筐体５は、上壁５ａ、下壁５ｂ、および周壁５ｃを有し、箱状に形成されている。
【００１３】
下壁５ｂは、電子機器１を例えば机上面に置いた時に、その机上面に向かい合う壁部である。下壁５ｂは、机上面に対して略平行になるように広がっている。上壁５ａは、下壁５ｂとの間に空間を空けて、下壁５ｂと略平行（すなわち略水平）に広がっている。上壁５ａは、キーボード６を支持している。周壁５ｃは、下壁５ｂに対して起立しており、下壁５ｂの周縁部と上壁５ａの周縁部との間を繋いでいる。
【００１４】
図１に示すように、本体ユニット２は、第１の端部である後端部７と、第２の端部である前端部８とを有している。後端部７には、例えば一対のヒンジ部４ａ，４ｂにより、表示ユニット３が回動可能に連結されている。前端部８は、本体ユニット２のなかで後端部７とは反対側となる端部である。なお本明細書では、ユーザーから見て近い方を前、遠い方を後と定義する。また、ユーザーから見た状態を基準に左右を定義する。
【００１５】
一対のヒンジ部４ａ，４ｂは、表示ユニット３を、本体ユニット２の後端部７に回動可能に連結している。これにより表示ユニット３は、本体ユニット２を上方から覆うように倒される閉じ位置と、本体ユニット２に対して立て起こされる開き位置との間で回動可能である。
【００１６】
図１に示すように、表示ユニット３は、表示筐体１１と、この表示筐体１１に収容された表示パネル１２とを備えている。表示筐体１１は、本発明でいう「筐体」の一例であるので、以下では単に筐体１１と称する。筐体１１は、前壁１１ａ（第１の壁部）、背壁１１ｂ（第２の壁部）、および周壁１１ｃ（第３の壁部）を有し、箱状に形成されている。なお本明細書では、表示ユニット３に関しては立て起こされた姿勢を基準にして前後を定義している。
【００１７】
前壁１１ａは、表示ユニット３が倒されたときに本体筐体５の上壁５ａに対向するとともに、表示ユニット３が立て起こされたときにユーザーに向かい合う。前壁１１ａは、表示パネル１２の表示画面１２ａを外部に露出させる比較的大きな開口部１１ｄを有する。
【００１８】
図３に示すように、背壁１１ｂは、筐体１１のなかで前壁１１ａとは反対側に位置する。背壁１１ｂは、前壁１１ａとの間に表示パネル１２を収容する収容空間を空けるとともに、前壁１１ａと略平行に広がっている。図１に示すように、周壁１１ｃは、背壁１１ｂに対して起立しており、前壁１１ａの周縁部と背壁１１ｂの周縁部との間を繋いでいる。
【００１９】
図３に示すように、筐体１１は、外部に露出された表面１４（第１の面）と、筐体１１の内部に臨む内面１５（第２の面）とを有する。図１に示すように、筐体１１の前壁１１ａの表面１４には、マーク部２１が設けられている。マーク部２１は、例えば商標やロゴマーク、表示記号などを構成する文字または記号が配置されている。本実施形態に係るマーク部２１は、「ＴＯＳＨＩＢＡ」（登録商標）の文字列を有している。
【００２０】
図２に示すように、マーク部２１は、少なくとも一部に環状の輪郭２２（以下、環状輪郭部２２）を含む文字または記号を有する。環状輪郭部２２は、例えば略円形外形の輪郭をしている。以下、少なくとも一部に環状輪郭部２２を有した文字または記号を、説明の便宜上、キャラクタ２３と称する。
【００２１】
キャラクタ２３は、アルファベット文字の「Ｏ」や「Ｄ」のように文字の全体が環状をしていてもよいし、「ａ」や「ｄ」、「ｐ」のように文字の一部だけが環状をしていてもよい。また環状輪郭部２２の形状は、曲線によって形成されている必要はなく、屈曲した線によって形成されていてもよい。本実施形態に係るマーク部２１では、アルファベット文字の「Ｏ」や「Ｂ」、「Ａ」がキャラクタ２３に該当する。
【００２２】
図２および図３に示すように、マーク部２１は、「ＴＯＳＨＩＢＡ」の文字列を表示するロゴマークが一体に形成されたロゴバッジ２４である。ロゴバッジ２４は、筐体１１の表面１４に掘られた窪み２５に取り付けられている。これによりマーク部２１は、筐体１１の表面１４に設けられている。
【００２３】
図３に示すように、筐体１１は、カメラ３１を収容している。カメラ３１は、本発明でいう「機能部品」の一例である。カメラ３１は、マーク部２１の背後に配置され、筐体１１の内側からキャラクタ２３に対向している。カメラ３１は、撮影レンズ３１ａを有している。この撮影レンズ３１ａは、キャラクタ２３の環状輪郭部２２の内側の略中央部に対向している。
【００２４】
図２および図３に示すように、アルファベット文字「Ｏ」の環状輪郭部２２の内側には、受入部３２が設けられている。受入部３２は、機能部品を機能させる要素を筐体１１の外部から内部へ通す部分である。本実施形態に係る受入部３２は、受光穴３３を有する。受光穴３３は、本発明でいう「貫通孔」の一例である。受光穴３３は、筐体１１の前壁１１ａを貫通し、筐体１１内に開口している。受光穴３３は、機能部品（カメラ）を機能させる要素（被写体からの光）を筐体１１の内部へ導き入れる。
【００２５】
カメラ３１は、受光穴３３に対向して配置されている。カメラ３１は、キャラクタ２３の環状輪郭部２２の内側の略中央部に対向している。カメラ３１は、受光穴３３を通じて筐体１１の外部に露出され、外部を撮影可能になっている。
【００２６】
図３に示すように、本実施形態に係る受光穴３３は、キャラクタ２３の環状輪郭部２２の内周縁２２ａと略同じ大きさに形成されている。つまり、受光穴３３の内周縁３３ａと、環状輪郭部２２の内周縁２２ａとが平面視において互いに一致している。さらに換言すれば、受光穴３３の内周面３３ｂは、環状輪郭部２２の内周面２２ｂと滑らかに連続している。また別の観点から見れば、受入部３２は、文字または記号の輪郭によって少なくとも３方向から囲まれた領域の内側に設けられている。
【００２７】
このような構成によれば、電子機器１の外観のデザイン性を向上させることができる。例えば受光穴が筐体１１の前壁１１ａに単独で設けられていると、この受光穴が周囲に対して目立ち、周囲との一体感が損なわれてしまう。そのため、高いデザイン性を実現することが困難になる。
【００２８】
一方で、本実施形態に係る電子機器１では、受光穴３３（受入部３２）をキャラクタ２３の環状輪郭部２２の内側に設けているので、受光穴３３の存在が目立たなくなる。これにより、受光穴３３を含む受入部３２が周囲のデザインと調和しやすく、電子機器１の外観のデザイン性を向上させることができる。
【００２９】
受光穴３３が環状輪郭部２２の内周縁２２ａと略同じ大きさに形成されていると、受光穴３３とマーク部２１とがさらに一体感を有し、受光穴３３の存在がさらに目立たなくなる。このため、さらにデザイン性を向上させることができる。
【００３０】
また、受入部３２が文字または記号の輪郭によって少なくとも３方向から囲まれた領域の内側に設けられていると、受入部３２の存在が目立たなくなる。これにより、受入部３２が周囲のデザインと調和しやすく、電子機器１の外観のデザイン性を向上させることができる。
【００３１】
（第２の実施形態）  
次に、本発明の第２の実施形態に係る電子機器１について、図４を参照して説明する。なお上記第１の実施形態の構成と同一または類似の機能を有する構成は、同一の符号を付してその説明を省略する。また、下記に説明する以外の構成は、上記第１の実施形態と同じである。
【００３２】
図４に示すように、本実施形態に係る受入部３２は、キャラクタ２３の環状輪郭部２２の内周縁２２ａの大きさに対して小さな受光穴３３を有する。受光穴３３は、環状輪郭部２２の内側の略中央部に対向している。受入部３２は、受光穴３３と環状輪郭部２２の内周縁２２ａとの間に狭間領域４１を有する。この狭間領域４１は、例えば筐体１１の一部またはロゴバッジ２４の一部で形成されている。
【００３３】
狭間領域４１には、受光穴３３を周囲から目立ち難くする処理、すなわち受光穴３３を周囲と調和させる処理が施されている。この「目立ち難くする処理」とは、具体的には、例えば狭間領域４１の材質や表面処理などを、受入部３２の周囲の材質や表面処理などと同一または類似のものに合わせることをいう。または、例えば狭間領域４１の色彩や艶などを、受入部３２の周囲の色彩や艶などと同一または類似のものに合わせることをいう。なお「受入部３２の周囲」とは、例えばロゴバッジ２４のなかで文字と文字との間の領域や、筐体１１の表面１４のなかでロゴバッジ２４の周囲の領域のことをいう。
【００３４】
また、「目立ち難くする処理」の一例として、図５に示すように、受光穴３３の輪郭をキャラクタ２３の環状の輪郭２２と略相似形状に形成するなど、受光穴３３の形状を環状輪郭部２２の形状と同一または類似に形成してもよい。例えば環状輪郭部２２の形状が楕円形状である場合、受光穴３３の形状を楕円形状にする。
【００３５】
このような構成によれば、上記第１の実施形態と同様に、電子機器１の外観のデザイン性を向上させることができる。つまり、キャラクタ２３の環状輪郭部２２の内周縁２２ａに対して小さな受光穴３３を有する受入部３２であっても、キャラクタ２３の環状輪郭部２２の内側に受入部３２を設けることで、受入部３２や受光穴３３の存在が目立たなくなる。これにより、受光穴３３を含む受入部３２が周囲のデザインと調和しやすく、電子機器１の外観のデザイン性を向上させることができる。特に、受光穴３３が環状輪郭部２２の内側の略中央部に対向していると、環状輪郭部２２に対して受光穴３３がさらに調和しやすく、デザイン性をさらに向上させることができる。
【００３６】
さらに、狭間領域４１に上記のような「目立ち難い処理」が施されていると、受光穴３３が目立ちにくくなる。例えば受光穴３３の輪郭がキャラクタ２３の環状の輪郭２２と略相似形状に形成されていると、受光穴３３の存在が目立ちにくく、これによりさらに高いデザイン性を実現することができる。
【００３７】
（第３の実施形態）  
次に、本発明の第３の実施形態に係る電子機器１について、図６を参照して説明する。なお上記第１の実施形態の構成と同一または類似の機能を有する構成は、同一の符号を付してその説明を省略する。また、下記に説明する以外の構成は、上記第１の実施形態と同じである。
【００３８】
本実施形態に係るマーク部２１は、例えば筐体１１の前壁１１ａの表面１４に掘られた彫刻文字で形成されている。すなわち、マーク部２１は、筐体１１の表面１４に設けられた窪みである。受光穴３３は、例えばキャラクタ２３の環状輪郭部２２の内周縁２２ａと略同じ大きさに形成されている。つまり、受光穴３３の内周面３３ｂは、環状輪郭部２２の内周縁２２ａに連続している。
【００３９】
このような構成によれば、上記第１の実施形態と同様に、電子機器１の外観のデザイン性を向上させることができる。
【００４０】
（第４の実施形態）  
次に、本発明の第４の実施形態に係る電子機器１について、図７を参照して説明する。なお上記第１の実施形態の構成と同一または類似の機能を有する構成は、同一の符号を付してその説明を省略する。また、下記に説明する以外の構成は、上記第１の実施形態と同じである。
【００４１】
本実施形態に係るマーク部２１は、例えば筐体１１の前壁１１ａの表面１４に印刷（例えばシルク印刷）された文字で形成されている。受光穴３３は、例えばキャラクタ２３の環状輪郭部２２の内周縁２２ａと略同じ大きさに形成されている。つまり、受光穴３３の内周面３３ｂは、環状輪郭部２２の内周縁２２ａに連続している。
【００４２】
このような構成によれば、上記第１の実施形態と同様に、電子機器１の外観のデザイン性を向上させることができる。
【００４３】
以上、上記第１乃至第４の実施形態で述べたように、マーク部２１は、種々の方法で形成することができる。マーク部２１は、例えば、（１）シールやラベル、銘板等による別部品の貼り付け、（２）シルク印刷等の印刷や刻印、（３）金型構造などを用いた成形等により形成される凹凸文字や記号、またはその他の方法で形成することができる。
【００４４】
（第５の実施形態）  
次に、本発明の第５の実施形態に係る電子機器１について、図８および図９を参照して説明する。なお上記第１の実施形態の構成と同一または類似の機能を有する構成は、同一の符号を付してその説明を省略する。また、下記に説明する以外の構成は、上記第１の実施形態と同じである。
【００４５】
図９に示すように、本実施形態に係る電子機器１は、マイク５１を備えている。マイク５１は、本発明でいう「機能部品」の一例である。マイク５１は、マーク部２１の背後に配置され、筐体１１の内側からキャラクタ２３に対向している。
【００４６】
図８および図９に示すように、キャラクタ２３の環状輪郭部２２の内側には、受入部３２が設けられている。本実施形態に係る受入部３２は、収音穴５２（マイク穴）を有する。収音穴５２は、本発明でいう「貫通孔」の一例である。収音穴５２は、筐体１１の前壁１１ａを貫通し、筐体１１内に開口している。収音穴５２は、機能部品（マイク）を機能させる要素（音波）を筐体１１の内部へ導き入れる。
【００４７】
マイク５１は、収音穴５２に対向して配置されている。マイク５１は、キャラクタ２３の環状輪郭部２２の内側の略中央部に対向している。マイク５１は、収音穴５２を通じて筐体１１の外部に露出され、外部の音を拾音可能になっている。
【００４８】
図８および図９に示すように、本実施形態に係るマーク部２１は、例えばシルク印刷（ロゴ印刷）により形成されている。収音穴５２は、キャラクタ２３の環状輪郭部２２の内周縁２２ａと略同じ大きさに形成されている。つまり、収音穴５２の内周面５２ｂは、環状輪郭部２２の内周縁２２ａに連続している。
【００４９】
なおマーク部２１は、上記第１乃至第４の実施形態で説明したような種々の方法により形成可能である。また、収音穴５２や受入部３２の形状も本実施形態のものに限定されるものではなく、上記第１乃至第４の実施形態で説明した種々の形状のものが採用可能である。
【００５０】
このような構成によれば、上記第１の実施形態と同様に、収音穴５２を含む受入部３２が目立たなくなり、電子機器１の外観のデザイン性を向上させることができる。
【００５１】
（第６の実施形態）  
次に、本発明の第６の実施形態に係る電子機器１について、図１０および図１１を参照して説明する。なお上記第１の実施形態の構成と同一または類似の機能を有する構成は、同一の符号を付してその説明を省略する。また、下記に説明する以外の構成は、上記第１の実施形態と同じである。
【００５２】
図１０および図１１に示すように、本実施形態に係るマーク部２１は、例えばロゴバッジ２４により形成されている。このロゴバッジ２４は、キャラクタ２３の環状輪郭部２２の内側に設けられた受入部３２（第１の領域）と、環状輪郭部２２の周囲に広がる周囲部６１（第２の領域）とを有している。周囲部６１は、例えばロゴバッジ２４のなかで受入部３２を除いた残りの領域のことである。
【００５３】
ロゴバッジ２４は、例えば透明な材料で形成されるとともに、表面に加飾処理が施されている。具体的には、受入部３２には光の一部（一定割合）を通す半透過性の印刷が施されている。これにより受入部３２は、光を一部（一定割合）だけ透過させる半透過部となる。一方で、周囲部６１には光を通さない不透過性の印刷が施されている。なお図１１では、加飾処理を模式的に示している。
【００５４】
半透過部は、光を透過させるが、例えば筐体１１の中身が外部からほとんど見えない加飾処理が施された領域である。このような加飾処理の一例は、例えばハーフミラーであるが、これに限定されるものではない。
【００５５】
図１１に示すように、カメラ３１は、ロゴバッジ２４の受入部３２に対して筐体１１の内側から対向している。受入部３２は、例えば、カメラ３１が外部から直接見えない程度の透明度を有し、少なくともカメラ３１が光を受光し撮影可能な透過率を有する。受入部３２は、加飾層を通しても被写体からの光を比較的効率良く受光でき、且つ、実装されたカメラ３１が外部から直接に見えないようなバランスで透過率が設定されている。受入部３２は、周囲部６１の色彩や艶と同一または類似する色彩や艶に形成されている。
【００５６】
このような構成によれば、上記第１の実施形態と同様に、電子機器１の外観のデザイン性を向上させることができる。特に、受入部３２が半透過部であると、筐体１１の表面１４に受光穴３３を設けなくて済む。これにより、受入部３２が周囲とさらに調和しやすくなり、デザイン性をさらに向上させることができる。
【００５７】
加飾処理が施された受入部３２であっても、カメラ３１による撮影を可能にするため、ある程度の透過性は必要である。そのため、受入部３２の色彩や艶を不透過部（周囲部６１）と完全に同じにすることは困難であり、受入部３２の色彩や艶は不透過部の色彩や艶とある程度異なる。しかしながら、受入部３２が色彩や艶などにおいて不透過部とある程度異なっても、受入部３２をキャラクタ２３の環状輪郭部２２の内側に設けることで、受入部３２と不透過部（周囲部６１）との違いが目立たなくなる。このため、受入部３２が周囲と調和しやすく、デザイン性を向上させることができる。
【００５８】
（第７の実施形態）  
次に、本発明の第７の実施形態に係る電子機器１について、図１２を参照して説明する。なお上記第１の実施形態の構成と同一または類似の機能を有する構成は、同一の符号を付してその説明を省略する。また、下記に説明する以外の構成は、上記第１の実施形態と同じである。
【００５９】
図１２に示すように、筐体１１の前壁１１ａの表面１４には、ラッチ部７１が設けられている。また筐体１１の前壁１１ａは、例えばラッチ部７１を外れた部分に、平坦に広がる平面部７２を有する。ラッチ部７１は、本願発明でいう「表面形状部」の一例であり、平面部７２に対して段差を有する。
【００６０】
ラッチ部７１は、ラッチ７３と、このラッチ７３が可動するための開口部７４とを備えている。このラッチ用の開口部７４は、例えば筐体１１の前壁１１ａを貫通した貫通孔であり、本願発明でいう「受入部」の一例である。つまり、ラッチ用の開口部７４は、表面形状部（ラッチ部７１）に設けられ、機能部品（例えばカメラ３１）を機能させる要素（光）を筐体１１の外部から内部へ通す。
【００６１】
筐体１１は、カメラ３１を収容している。カメラ３１は、ラッチ用の開口部７４の背後に配置され、筐体１１の内側から開口部７４に対向している。カメラ３１は、開口部７４を通じて筐体１１の外部に露出され、外部を撮影可能になっている。
【００６２】
また図１２に示すように、筐体１１の前壁１１ａの表面１４には、例えば本体筐体５に対する表示筐体１１の干渉を避けるための複数の緩衝部材８１が設けられている。緩衝部材８１は、例えばゴムであり、前壁１１ａの表面１４に対して突出している。緩衝部材８１は、本願発明でいう「表面形状部」の一例であり、平面部７２に対して段差を有する。
【００６３】
複数の緩衝部材８１のうち、１つ又は全ての緩衝部材８１は透明な部材（例えば透明なゴム）で形成されている。図１２中に２点鎖線で示すように、受入部３２は、透明な緩衝部材８１に設けられてもよい。つまり、緩衝部材８１の一部または全部が機能部品（例えばカメラ３１）を機能させる要素（光）を筐体１１の外部から内部へ通過させてもよい。カメラ３１は、透明な緩衝部材８１の背後に配置され、筐体１１の内側から緩衝部材８１に対向している。カメラ３１は、緩衝部材８１を通じて外部を撮影可能になっている。
【００６４】
このような構成によれば、上記第１の実施形態と同様に、電子機器１の外観のデザイン性を向上させることができる。つまり、本来、別の目的のために筐体１１に設けられた穴や突起のような表面形状部を活用し、この表面形状部に受入部３２を設けることで、受入部３２の存在が目立たなくなる。これにより、受入部３２が周囲のデザインと調和しやすく、電子機器１の外観のデザイン性を向上させることができる。
【００６５】
以上、本発明の第１乃至第７の実施形態に係る電子機器１について説明したが、本発明はこれらに限定されるものではない。第１乃至第７の実施形態に係る各構成要素は、適宜組み合わせて用いることができる。また、この発明は上記実施形態そのままに限定されるものではなく、実施段階ではその要旨を逸脱しない範囲で構成要素を変形して具体化できる。
【００６６】
例えば、電源ボタンやその他のボタンに設けられる記号（例えばシンボル）に合わせて機能部品を実装してもよい。つまり、ボタンのトップ面の記号の環状輪郭部２２の内側に受入部３２を形成するとともに、この受入部３２に対向するボタンの下方などにカメラ３１やマイク５１のような機能部品を配置してもよい。
【００６７】
受入部３２は、例えば、文字または記号の輪郭によって３方向だけから囲まれた領域の内側に設けられてもよい。具体的には、アルファベット文字の「Ｃ」や「Ｕ」の輪郭の内側に受入部３２を設けてもよい。このような場合でも、受入部３２が比較的目立たなくなるため、電子機器１のデザイン性を向上させることができる。
【符号の説明】
【００６８】
１…電子機器、１１…筐体、１４…表面、２１…マーク部、２２…輪郭（環状輪郭部）、２２ａ…内周縁、２３…キャラクタ、３１…カメラ、３２…受入部、３３…受光穴、５１…マイク、５２…収音穴、７１…ラッチ部、８１…緩衝部材。
【図１】
2011034322.tif 000003
【図２】
2011034322.tif 000004
【図３】
2011034322.tif 000005
【図４】
2011034322.tif 000006
【図５】
2011034322.tif 000007
【図６】
2011034322.tif 000008
【図７】
2011034322.tif 000009
【図８】
2011034322.tif 000010
【図９】
2011034322.tif 000011
【図１０】
2011034322.tif 000012
【図１１】
2011034322.tif 000013
【図１２】
2011034322.tif 000014